【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
トレッドから足支持部位へ向けて貫通状に孔があけられたソールを備えた靴底部と、
足を完全に覆い、内側から外側へ順に、透湿性または多孔性のライニング、防水性で透湿性の、足を完全に覆う薄膜、透湿性または多孔性の上部を備えた頂部と
を備えてなり、
前記ソールの多孔領域に重ね合わされた、靴の前記頂部の外底部分が、前記薄膜の一部で構成され、
薄膜の前記一部のための、透湿性または多孔性の保護要素が、薄膜の前記一部の下方であって前記ソールのトレッドの上方に設けられ、
薄膜の前記一部の下方に、かつ、それと直接接触して配置された材料が、防水性かつ／または液体を保持しないものであり、
水封部位が、薄膜の前記一部と前記ソールとの間であって前記ソールの多孔領域の周りに設けられ、かつ、前記上部のフラップを前記ソールの多孔領域から離していることを特徴とする防水性で透湿性の靴。
【請求項２】
前記ライニングがポーチ状であり、前記薄膜が、全体にポーチ状の延長部分に実質的に沿って前記ライニングにその外層として結合され、
アセンブリ・インソールが、薄膜の前記一部の下方に、かつ、それと直接接触して設けられ、
前記インソールが、透湿性または多孔性であり、かつ、防水性で液体を保持しない材料で作られていて、第１シール領域によって前記薄膜の周縁でシールされ、
前記上部の下フラップが、前記アセンブリ・インソールの周縁部分に重ね合わせられ、
前記保護要素が、前記アセンブリ・インソールの下方であって前記ソールの多孔領域に設けられ、
前記ソールを上部のフラップがない前記アセンブリ・インソールの周縁部分にシールするための第２領域が、上部の前記下フラップと前記保護要素との間に設けられ、
前記第１シール領域が、前記第２シール領域と共に、かつ、これら両領域の間に配置された前記インソールの周縁部分と共に前記水封部位を形成していることを特徴とする請求項１による靴。
【請求項３】
前記ライニングがポーチ状であり、前記防水性で透湿性の薄膜が、全体にポーチ状の延長部分に実質的に沿って前記ライニングにその外層として結合され、
アセンブリ・インソールが、薄膜の前記一部の下方に、かつ、それと直接接触して設けられ、
前記アセンブリ・インソールが、透湿性または多孔性であり、かつ、防水性で液体を保持しない材料で作られていて、第１シール領域によって前記薄膜の周縁でシールされ、
前記上部の下フラップが、前記アセンブリ・インソールの周縁部分に重ね合わせられ、
前記アセンブリ・インソールの下方には、前記ソールの多孔領域に前記保護要素があり、
上部の前記下フラップと前記保護要素との間には、前記ソールの前記多孔領域を覆う環状要素があり、
前記環状要素が、上方部位において前記インソールへ、下方部位において前記ソールへ、第２シール領域および第３シール領域によってそれぞれシールされ、
前記環状要素が、さらに、防水性で液体を保持しない材料で形成され、
前記水封部位が、前記第２シール領域と共に前記第１シール領域によって、また、これら両領域の間に配置された前記インソールの周縁部分によって、さらに、前記第３シール領域と共に前記環状要素によって形成されていることを特徴とする請求項１による靴。
【請求項４】
前記ライニングがポーチ状であり、前記防水性で透湿性の薄膜が、全体にポーチ状の延長部分に実質的に沿って前記ライニングにその外層として結合され、
前記薄膜のための前記保護要素が、薄膜の前記一部の下方に、かつ、それと直接接触して設けられ、
環状要素が、前記薄膜と前記ソールとの間で、前記保護要素の周縁に設けられ、
前記環状要素が、上部の前記下フラップに隣接し、かつ、防水性で液体を保持しない材料で作られていて、
前記環状要素が、上方部位において前記薄膜へ、下方部位において前記ソールへ、第２シール領域および第３シール領域によってそれぞれシールされ、
前記水封部位が、前記第２シール領域および前記第３シール領域と共に前記環状要素によって形成されていることを特徴とする請求項１による靴。
【請求項５】
前記防水性で透湿性の薄膜が、前記ライニングと共に足を横から覆う上部薄膜部分によって、かつ、透湿性または多孔性であって、下方部位で靴の前記頂部を閉じるストロベル-ステッチ・インソールに下方部位で連結される薄膜部分によって構成され、
前記薄膜部分を有する前記ストロベル-ステッチ・インソールが、周縁の縫い合せシームによって上部薄膜部分を有する前記ライニングの下フラップに接合され、
前記保護要素が、前記薄膜部分の下方に、かつ、それと直接接触して配置され、
環状要素が、前記周縁縫い合せシームの下方に設けられ、
前記環状要素が、上部の前記下フラップに隣接し、かつ、防水性で液体を保持しない材料で作られていて、
前記環状要素が、上方部位において薄膜の前記上部へ、下方部位において前記ソールへ、第２シール領域および第３シール領域によってそれぞれシールされ、
前記水封部位が、前記第２シール領域および前記第３シール領域と共に前記環状要素によって形成されていることを特徴とする請求項１による靴。
【請求項６】
前記ライニングがポーチ状であり、前記防水性で透湿性の薄膜が、全体にポーチ状の延長部分に実質的に沿って前記ライニングにその外層として結合され、
薄膜の前記一部の下方に、かつ、それと直接接触して、前記薄膜のための前記保護要素があり、
上部の前記下フラップと前記保護要素との間に、かつ、前記ソールの多孔領域の周りに、前記ソールを前記薄膜へシールするための領域があり、
前記シール領域が前記水封部位を形成していることを特徴とする請求項１による靴。
【請求項７】
前記防水性で透湿性の薄膜が、前記ライニングと共に足を横から覆う上部薄膜部分によって、かつ、靴の前記頂部を下方部位で閉じる透湿性または多孔性のインソールに下方部位で連結される薄膜部分によって構成され、
前記インソールが、前記上部薄膜部分と共に前記ライニングの下フラップに接合され、
前記薄膜部分の下方部位に、かつ、それと直接接触して、防水性かつ/または液体を保持しない材料で作られた透湿性または多孔性の介在要素があり、
第２保護要素が、前記第１保護要素と前記ソールの多孔領域との間に設けられ、
前記薄膜部分が、前記インソールを前記ライニングの下フラップと前記上部薄膜部分の下フラップとに接続する部位をまたいでいることを特徴とする請求項１による靴。
【請求項８】
前記第１保護要素が、実質的に前記薄膜部分と同じ平面寸法を有するが、前記第２保護要素が前記第１保護要素より小さく、
前記水封部位が、前記上部の下フラップと前記第２保護要素との間に介在されたソールの一部によって、かつ、前記第１保護要素の下面の周辺部と、それの側方縁部と前記薄膜部分の側方縁部とに設けられたシール領域によって、前記上部薄膜部分に対する当接が生じるまで、形成されていることを特徴とする請求項７による靴。
【請求項９】
前記第２保護要素が、ネット状の構造を有することを特徴とする請求項８による靴。
【請求項１０】
前記薄膜と前記ソールとの間に配置された付加的な層が、透湿性または多孔性であり、かつ、防水性で液体を保持しない材料で作られていることを特徴とする請求項１〜９のいずれか１つによる靴。
【請求項１１】
前記薄膜が、支持メッシュと結合されている請求項１〜１０のいずれか１つによる靴。